【手続補正書】
【提出日】令和2年2月4日(2020.2.4)
【手続補正１】
【補正対象書類名】明細書
【補正対象項目名】０００７
【補正方法】変更
【補正の内容】
【０００７】
第１の発明は、静電容量方式のタッチパネルおよび表示部を備えるタッチスクリーンを有する電子機器に着脱可能なカバーであって、キートップと、第１導電部と、第２導電部と、復元部を備える。キートップは、ユーザによって操作可能である。第１導電部は、タッチスクリーンと接触可能に設けられる。第２導電部は、キートップが操作されたことに応じてタッチパネルを反応させるために第１導電部と電気的に接続される。復元部は、キートップが操作された状態から当該キートップを操作されていない状態に復元する。
【手続補正２】
【補正対象書類名】明細書
【補正対象項目名】００２８
【補正方法】変更
【補正の内容】
【００２８】
第１１の発明は、第１ないし第１０の発明のいずれかに従属し、キートップには、突起部が設けられ、第２導電部は、突起部と係合するための第１孔を有する。
【手続補正３】
【補正対象書類名】明細書
【補正対象項目名】００３０
【補正方法】変更
【補正の内容】
【００３０】
第１２の発明は、第１ないし第１１の発明のいずれかに従属し、キートップには、突起部が設けられ、復元部は、突起部と係合するための第２孔を有する。
【手続補正４】
【補正対象書類名】明細書
【補正対象項目名】００３４
【補正方法】変更
【補正の内容】
【００３４】
第１５の発明は、第１３の発明に従属し、第１カバー部は、タッチスクリーンの少なくとも一部を視認するための開口または切り欠きを有する。
【手続補正５】
【補正対象書類名】明細書
【補正対象項目名】００３８
【補正方法】変更
【補正の内容】
【００３８】
第１８の発明は、静電容量方式のタッチパネルおよび表示部を備えるタッチスクリーンを有する電子機器に着脱可能なカバーであって、キートップと、第１導電部と、第２導電部を備える。キートップは、ユーザによって操作可能である。第１導電部は、タッチスクリーンと接触可能に設けられる。第２導電部は、キートップが操作されたことに応じてタッチパネルを反応させるために第１導電部と電気的に接続する。キートップのうち、少なくともユーザが操作するときに接触する部分は非導電性である。
【手続補正６】
【補正対象書類名】明細書
【補正対象項目名】００４０
【補正方法】変更
【補正の内容】
【００４０】
第１９の発明は、静電容量方式のタッチパネルおよび表示部を備えるタッチスクリーンを有する電子機器に着脱可能なカバーであって、キートップと、第１導電部と、第２導電部を備える。キートップは、ユーザによって操作可能である。第１導電部は、タッチスクリーンと接触可能に設けられる。第２導電部は、キートップが操作されたことに応じてタッチパネルを反応させるために第１導電部と電気的に接続する。また、第２導電部は、キートップの外部であり、カバー内に設けられる。
【手続補正７】
【補正対象書類名】明細書
【補正対象項目名】００４１
【補正方法】変更
【補正の内容】
【００４１】
第１９の発明によれば、第１の発明と同様に、カバーを装着した状態でも容易にタッチパネルを操作することができる。また、非導電性である手袋を着けたままでも、操作ボタンを操作することにより、タッチパネルを反応させることができる。さらに、所望の操作入力を確実に行うことができる。
【手続補正８】
【補正対象書類名】明細書
【補正対象項目名】００５０
【補正方法】変更
【補正の内容】
【００５０】
［第１実施例］
図１を参照して、限定しない一例のカバー１０は、スマートフォン５００（図３参照）に着脱可能なカバーであり、外皮１０ａ、ハウジング１０ｂおよび保持部材１０ｃを含む。図１に示すカバー１０は閉じた状態であり、この状態において、ハウジング１０ｂおよび保持部材１０ｃは、互いに対面するように、外皮１０ａの内側に貼り付けられる。外皮１０ａは、たとえば、天然皮革（本皮）または合成皮革（合皮）である。ハウジング１０ｂおよび保持部材１０ｃは、たとえば、シリコーンゴムまたはＴＰＵ（Thermoplastic Polyurethane）などの樹脂で形成される。
【手続補正９】
【補正対象書類名】明細書
【補正対象項目名】００７１
【補正方法】変更
【補正の内容】
【００７１】
操作ボタン１２ａは、孔２０ａの内部に配置され、操作ボタン１２ｂおよび操作ボタン１２ｃは、孔２０ｂの内部に配置され、そして、操作ボタン１２ｄおよび操作ボタン１２ｅは、孔２０ｃの内部に配置される。詳細な説明等は省略するが、部材２２には、孔２０ａ−２０ｃに対応する位置に、操作ボタン１２ａ−１２ｅを取り付けるための取付部２２ｂ−２２ｄが設けられる。
【手続補正１０】
【補正対象書類名】明細書
【補正対象項目名】００８１
【補正方法】変更
【補正の内容】
【００８１】
キートップ５０は、ユーザが操作する場合に指を接触させる面（キートップ）ないし部分を含む部材である。操作ボタン１２ａは、４つの操作ボタン１２０、１２２、１２４および１２６が一体的に形成された操作ボタンであり、キートップ５０は、正面から見た場合に十字状に形成される。操作ボタン１２ｂおよび操作ボタン１２ｃでは、キートップ５０は、正面から見た場合にトラック（長円）形状に形成される。操作ボタン１２ｄおよび操作ボタン１２ｅでは、キートップ５０は、正面から見た場合に円形状に形成される。操作ボタン１２ａ−１２ｅの各キートップ５０は、操作（押下）された場合に、キートップ５０が外皮１０ａの表面よりも内側（裏側）に押し込まれない高さに設定される。また、キートップ５０には、アクチュエータ５２側に延びる突起５０ａが設けられ、突起５０ａおよび突起５０ａが設けられるキートップ５０の裏面の一部には、たとえば、樹脂メッキ５０ｂが塗布される。つまり、キートップ５０のうち、導電シート２００の接続部２０２と接触（接続）される部分が導電性を有している。
【手続補正１１】
【補正対象書類名】特許請求の範囲
【補正対象項目名】全文
【補正方法】変更
【補正の内容】
【特許請求の範囲】
【請求項１】
静電容量方式のタッチパネルおよび表示部を備えるタッチスクリーンを有する電子機器に着脱可能なカバーであって、
ユーザによって操作可能なキートップと、
前記タッチスクリーンと接触可能に設けられる第１導電部と、
前記キートップが操作されたことに応じて前記タッチパネルに反応させるために前記第１導電部と電気的に接続される第２導電部と、
前記キートップが操作された状態から当該キートップを操作されていない状態に復元する復元部を備える、カバー。
【請求項２】
前記第１導電部の少なくとも一部は、前記キートップと前記タッチスクリーンの間に配置される、請求項１記載のカバー。
【請求項３】
前記第２導電部の少なくとも一部は、前記キートップの外部であり、前記カバー内に設けられる、請求項１または２記載のカバー。
【請求項４】
前記第２導電部は、少なくとも、前記第１導電部と電気的に接続するための接続部を含む、請求項１ないし３のいずれかに記載のカバー。
【請求項５】
前記第２導電部は、少なくとも一部が薄膜状である、請求項１ないし４のいずれかに記載のカバー。
【請求項６】
前記第２導電部の一部は、前記電子機器の筐体と接触する、請求項１ないし５のいずれかに記載のカバー。
【請求項７】
複数の前記第１導電部を備える、請求項１ないし６のいずれかに記載のカバー。
【請求項８】
前記第２導電部は、前記複数の第１導電部と電気的に接続可能である、請求項７記載のカバー。
【請求項９】
前記第２導電部は複数の接続部を含み、
前記複数の接続部の各々は、対応する１つの前記第１導電部と電気的に接続可能である、請求項７記載のカバー。
【請求項１０】
前記キートップは、方向を入力するための方向入力部である、請求項１ないし９のいずれかに記載のカバー。
【請求項１１】
前記キートップには、突起部が設けられ、
前記第２導電部は、前記突起部と係合するための第１孔を有する、請求項１ないし１０のいずれかに記載のカバー。
【請求項１２】
前記キートップには、突起部が設けられ、
前記復元部は、前記突起部と係合するための第２孔を有する、請求項１ないし１１のいずれかに記載のカバー。
【請求項１３】
前記電子機器の表面のうち、前記タッチスクリーンの少なくとも一部を覆う第１カバー部と前記タッチスクリーンが設けられる面とは反対側の面の少なくとも一部を覆う第２カバー部を含む、請求項１ないし１１のいずれかに記載のカバー。
【請求項１４】
前記キートップは、前記第１カバー部に設けられる、請求項１３記載のカバー。
【請求項１５】
前記第１カバー部は、前記タッチスクリーンの少なくとも一部を視認するための開口または切り欠きを有する、請求項１３記載のカバー。
【請求項１６】
前記第１カバー部は、前記開口または前記切り欠きを透過可能に塞ぐ透過部を有する、請求項１５記載のカバー。
【請求項１７】
前記キートップのうち、少なくとも前記ユーザが操作するときに接触する部分は非導電性である、請求項１ないし１６のいずれかに記載のカバー。
【請求項１８】
静電容量方式のタッチパネルおよび表示部を備えるタッチスクリーンを有する電子機器に着脱可能なカバーであって、
ユーザによって操作可能なキートップと、
前記タッチスクリーンと接触可能に設けられる第１導電部と、
前記キートップが操作されたことに応じて前記タッチパネルに反応させるために前記第１導電部と電気的に接続する第２導電部を備え、
前記キートップのうち、少なくとも前記ユーザが操作するときに接触する部分は非導電性である、カバー。
【請求項１９】
静電容量方式のタッチパネルおよび表示部を備えるタッチスクリーンを有する電子機器に着脱可能なカバーであって、
ユーザによって操作可能なキートップと、
前記タッチスクリーンと接触可能に設けられる第１導電部と、
前記キートップが操作されたことに応じて前記タッチパネルに反応させるために前記第１導電部と電気的に接続する第２導電部を備え、
前記第２導電部は、前記キートップの外部であり、前記カバー内に設けられる、カバー。
【請求項２０】
前記キートップのうち、少なくとも前記ユーザが操作するときに接触する部分は非導電性である、請求項１９記載のカバー。
【請求項２１】
静電容量方式のタッチパネルおよび表示部を備えるタッチスクリーンを有する電子機器に着脱可能なカバーであって、
前記タッチスクリーンの少なくとも一部を覆う第１カバー部と、
前記電子機器の表面のうち、前記タッチスクリーンが設けられる面とは反対側の面を覆う第２カバー部を備え、
前記第１カバー部は、
前記タッチスクリーンの少なくとも一部を視認するための開口または切り欠きと、
ユーザによって操作可能なキートップと、
前記キートップが操作されたことに応じて前記タッチパネルに接触して当該タッチパネルを反応させるために電気的に接続される導電体を備え、
前記キートップのうち、少なくとも前記ユーザが操作するときに接触する部分は非導電性である、カバー。
【請求項２２】
静電容量方式のタッチパネルおよび表示部を備えるタッチスクリーンを有する電子機器に着脱可能なカバーであって、
前記タッチスクリーンの少なくとも一部を覆う第１カバー部と、
前記電子機器の表面のうち、前記タッチスクリーンが設けられる面とは反対側の面を覆う第２カバー部を備え、
前記第１カバー部は、
前記タッチスクリーンの少なくとも一部を視認するための開口または切り欠きと、
ユーザによって操作可能なキートップと、
前記キートップが操作されたことに応じて前記タッチパネルに接触して当該タッチパネルを反応させるために電気的に接続される導電体を備え、
前記キートップのうち、前記ユーザが操作するときに接触する第１部分と、前記導電体と接触する第２部分と、前記第１部分および前記第２部分を連結する第３部分は導電性を有する、カバー。
【手続補正１２】
【補正対象書類名】図面
【補正対象項目名】図４
【補正方法】変更
【補正の内容】
【図４】
2018160025.tif 000001
【手続補正１３】
【補正対象書類名】図面
【補正対象項目名】図６
【補正方法】変更
【補正の内容】
【図６】
2018160025.tif 000002
【手続補正１４】
【補正対象書類名】図面
【補正対象項目名】図７
【補正方法】変更
【補正の内容】
【図７】
2018160025.tif 000003
【手続補正１５】
【補正対象書類名】図面
【補正対象項目名】図９
【補正方法】変更
【補正の内容】
【図９】
2018160025.tif 000004